(57)【要約】【課題】連結機構によって第１の付着係止具と第２の付着係止具とが連結され、一方の付着係止具が取り付け面から落下しても、付着係止具全体が完全に落下せず、付着係止具全体が紛失しなくなる。【解決手段】第１及び第２の付着係止具１及び２の裏面には磁石６及び７（付着機構）が収納されている；第１の付着係止具１と第２の付着係止具２とは、糸１０（連結機構）によって、互いに連結されている；この糸１０（連結機構）には、複数の第３の付着係止具３がスライド可能に取り付けられている；第３の付着係止具３本体と裏面磁石１６と間には円盤状の糸巻き１８が取り付けられている；この糸巻き１８の中には上記糸１０が引き込まれ巻き込まれている；この巻き込まれている糸１０の先端にはぜんまいばねが連結され、比較的弱い力で糸１０が引き込まれる。【選択図】図１
2004017602.tif 000002
【特許請求の範囲】
【請求項１】
取り付け面に付着するための付着機構を有する第１の付着係止具及び第２の付着係止具であって、この第１の付着係止具及び第２の付着係止具には紙などのシートが係止され、
この第１の付着係止具と第２の付着係止具とを連結する連結機構とを備えたことを特徴とする付着係止具。
【請求項２】
任意の面に付着するための付着機構を有する第３の付着係止具または上記第２の付着係止具が、上記連結機構に対してスライド可能に取り付けられており、この第３の付着係止具には紙などのシートが係止される請求項１記載の付着係止具。
【請求項３】
上記連結機構は上記第１の付着係止具、第２の付着係止具または第３の付着係止具の中に巻き込み可能となっていて、長さが調節可能である請求項１または２記載の付着係止具。
【請求項４】
上記第１の付着係止具に対して第２の付着係止具は着脱自在であり、第１の付着係止具１に対して第２の付着係止具を順次繋いだりはずしたりできる請求項１、２または３記載の付着係止具。
【請求項５】
上記第１の付着係止具表面及び第２の付着係止具表面または第３の付着係止具表面はデザインが施されており、これらのデザインは互いに相関性があり、これらの相関性のあるデザインに対して、上記連結機構自体も相関性を持ち、上記連結機構自体もこれら相関性のあるデザインの一構成要素となっている請求項１、２、３または４記載の付着係止具。
【発明の詳細な説明】
【０００１】
【発明の属する技術分野】
本発明は付着係止具に関し、特に紙などのシートを係止する付着係止具に関する。
【０００２】
【従来の技術】
従来、紙などのシートを係止する付着係止具は、単体で使用されていた。このような付着係止具と取り付け面との間に紙などのシートを挟み、付着係止具の取り付け面に対する付着力によって、当該挟んだ紙などのシートを係止していた。
【０００３】
【発明が解決しようとする課題】
しかしながら、このような単体の付着係止具は、係止した紙などのシートをはずすとき、またはその他の何らかの拍子に、誤って付着係止具を落としてしまい紛失してしまうことがあった。
【０００４】
【課題を解決するための手段】
本発明では、取り付け面に付着するための付着機構を有する第１の付着係止具及び第２の付着係止具とを連結する連結機構とを備えた。これにより、一方の付着係止具が取り付け面から落下しても、この付着係止具には連結機構が繋がり、この連結機構には他方の付着係止具が繋がっているため、この落下した付着係止具が完全に落下してしまうことがなく、付着係止具全体が完全に落下せず、付着係止具全体を紛失してしまうことが少なくなる。
【０００５】
たとえ、第１の付着係止具及び第２の付着係止具の両方が落下しても、第１の付着係止具及び第２の付着係止具は連結機構で連結されているので、付着係止具全体としては広い範囲にわたって落下し、付着係止具全体を発見し易くなる。さらに、一方の付着係止具が隙間に落ち込んでも、連結機構によってこの一方の付着係止具を引き出すこともできる。
【発明の実施の形態】
（１）付着係止具の構造
図１は付着係止具を正面から見た状態を示す。第１の付着係止具１及び第２の付着係止具２は、成型された合成樹脂製等であり、ほぼ正方形板状であって、この正方形の角は丸みを帯びている。図２に示すように、この第１及び第２の付着係止具１及び２の裏面には環状の収納部４及び５が突出されて一体形成されている。この環状の収納部４及び５の中には円盤状の磁石６及び７（付着機構）が収納されて接着されている。
【０００６】
この第１及び第２の付着係止具１及び２の表面には絵（含む写真）が成型、刻印、印刷またはペイントなどによって描かれている。第１の付着係止具１の表面の絵はケーブルカーの麓の駅舎とこの周辺であり、第２の付着係止具２の表面の絵はケーブルカーの山の駅舎とこの周辺である。これら２つの駅舎付近には突起穴８及び９が形成され、糸１０（連結機構）の一端が第１の付着係止具１の突起穴８に結びつけられ、糸１０（連結機構）の他端が第２の付着係止具２の突起穴９に結びつけられて、第１の付着係止具１と第２の付着係止具２とは、糸１０（連結機構）によって、互いに連結されている。
【０００７】
この糸１０（連結機構）には、複数の第３の付着係止具３がスライド可能に取り付けられている。この第３の付着係止具３は、成型された合成樹脂製等であり、ほぼ正方形板状であって、この正方形の角は丸みを帯びている。図３に示すように、この第３の付着係止具３の裏面には環状の収納部１４が突出されて一体形成されている。この環状の収納部１４の中には円盤状の磁石１６（付着機構）が収納されて接着されている。
【０００８】
この第３の付着係止具３の磁石１６の上辺には、吊り下げフック１７が突出形成されており、上記糸１０に、この吊り下げフック１７が引っかけられて吊り下げられている。この吊り下げフック１７は、断面円型のパイプ状、断面渦巻き型のパイプ状など、糸１０に吊り下げできれば、どのような形状であってもよい。
【０００９】
この第３の付着係止具３の表面には絵が成型、刻印、印刷またはペイントなどによって描かれている。第３の付着係止具３の表面の絵はケーブルカーである。このケーブルカーの上の吊り下げ部の絵の両側から上記糸１０が引き出されるように配置される。したがって、図１の第１、第２及び第３の付着係止具１、２及び３の表面の絵によって、ケーブルカー全体が示され、糸１０（連結機構）によってケーブルカーのケーブルが示され、第３の付着係止具３の糸１０に対するスライドによって、ケーブルカーの運行が示される。
【００１０】
したがって、上記第１の付着係止具１、第２の付着係止具２及び第３の付着係止具３の各表面に描かれた各デザイン（絵）には互いに相関性があり、これらの相関性のあるデザイン（絵）に対して、上記糸１０（連結機構）自体も相関性を持ち、糸１０（連結機構）自体もこれら相関性のあるデザイン（絵）の一構成要素となっている。この結果、付着係止具から糸１０（連結機構）がデザイン上、浮き上がって目立ってしまうことがなくなり、糸１０（連結機構）自体に違和感が生じないようにしたり、目立たないようにすることができる。
【００１１】
（２）巻き込み式の実施例
図４は第３の付着係止具３の第２実施例を示す。第３の付着係止具３本体と上記磁石１６と間には円盤状の糸巻き１８が取り付けられている。この糸巻き１８の中には上記糸１０が引き込まれ巻き込まれている。この巻き込まれている糸１０の先端にはぜんまいばねが連結され、比較的弱い力で糸１０が引き込まれるようになっている。なおこの糸１０自体もぜんまいばねで構成してもよい。
【００１２】
一方、第３の付着係止具３の裏面の上方の左右２カ所には突起穴１９及び２０が設けられている。上記糸巻き１８からの糸１０は、この突起穴１９を通って、上記第１の付着係止具１、第２の付着係止具２または他の第３の付着係止具３に連結されている。また、他の糸１０の一端には差し込みフック２１が結びつけられ、この差し込みフック２１はもう１つの突起穴２０に着脱自在に填め込まれている。この他の糸１０は、上記第２の付着係止具２、第１の付着係止具１または他の第３の付着係止具３に連結されている。
【００１３】
これにより、第３の付着係止具３が、糸１０に対してスライド可能に取り付けられているので、第１の付着係止具１及び第２の付着係止具２及び他の第３の付着係止具３に対して、第３の付着係止具３を任意の位置にスライドさせることができ、複数のシートを任意の配列位置に係止することができる。
【００１４】
また、他の糸１０は差し込みフック２１によって、第３の付着係止具３に対して着脱自在になっているから、第１の付着係止具１（または第２の付着係止具２）に対して、複数の第３の付着係止具３を順次繋いでいったり、逆に複数の第３の付着係止具３を順次はずしていき、最後に残った第３の付着係止具３の役目を第２の付着係止具２と同等にすることができる。したがって、ここで順次繋いだりはずしたりする第３の付着係止具３は、見方によって、そっくり第２の付着係止具２と見ることもできる。これにより、係止するシートの数に応じて、連結する付着係止具の数を自由に増減できる。他の構成及び作用は上述の図１乃至図３の実施例と同じであり、この同じ内容については説明を省略するが、実施には記載されているものと理解されたい。
【００１５】
（３）第１及び第２の付着係止具１及び２だけのもの
図５乃至図９は、上記第３の付着係止具３を省略して、第１及び第２の付着係止具１及び２だけのものとした実施例を示す。図５の第１及び第２の付着係止具１及び２の各表面にはロッククライミングの先導者と追従者との絵が描かれ、糸１０（連結機構）はこのロッククライミングの先導者と追従者とを結ぶロープとなっている。
【００１６】
図６の第１及び第２の付着係止具１及び２の各表面には舟と錨との絵が描かれ、鎖２５（連結機構）はこの舟と錨とを結ぶ鎖となっている。図７の第１及び第２の付着係止具１及び２の各表面には舟と潜水夫との絵が描かれ、紐２６（連結機構）はこの舟と潜水夫とを結ぶ空気ホースとなっている。図８の第１及び第２の付着係止具１及び２の各表面には舟とたこつぼとの絵が描かれ、糸１０（連結機構）はこの舟とたこつぼとを繋ぐ釣り糸（紐）となっている。図９の第１及び第２の付着係止具１及び２の各表面には木の枝とブランコに乗る子供との絵が描かれ、２本（複数）の糸１０（連結機構）はこの木の枝とブランコの板とを繋ぐロープとなっている。
【００１７】
このように、第１の付着係止具１及び第２の付着係止具２の各表面に描かれたデザイン（絵）には互いに相関性があり、これらの相関性のあるデザイン（絵）に対して、糸１０、鎖２５、紐２６（連結機構）自体も相関性を持ち、連結機構１０、２５、２６自体もこれら相関性のあるデザイン（絵）の一構成要素となっている。したがって、付着係止具１、２から連結機構１０、２５、２６がデザイン上、浮き上がって目立ってしまうことがなくなり、連結機構１０、２５、２６自体に違和感が生じないようにしたり、目立たないようにすることができる。他の構成及び作用は上述の図１乃至図４の実施例と同じであり、この同じ内容については説明を省略するが、実施には記載されているものと理解されたい。
【００１８】
（４）付着機構
図１０及び図１１は付着機構を示す。この付着機構は、上記第１、第２及び第３の付着係止具１、２及び３の裏面に設けられた上記磁石６、７、１６のほか、接着シート３１または針３２（鋲を含む）となる。図１０に示すように、接着シート３１の裏面は、付着係止具１、２及び３に対しては接着力が強く、接着シート３１の表面は、接着及び剥離を何度繰り返しても接着力が劣化しないものである。この接着シート３１の代わりに接着粘土が取り付けられてもよい。これら接着シート３１または接着粘土の一部に紙等のシートが付着されて係止され、他の一部によって取り付け面に接着されて付着される。
【００１９】
針３２（鋲を含む）は、図１１に示すように、上記第１、第２及び第３の付着係止具１、２及び３の裏面から突出しており、この針３２は係止する紙などのシートを貫通して取り付け面に差し込まれ付着される。これにより、紙などのシートが係止される。上記磁石６、７、１６は係止する紙などのシートを挟んで取り付け面（磁着性のもの）に吸着され付着される。これにより、紙などのシートが係止される。
【００２０】
（５）多段連結付着係止具
図１２及び図１３は多段連結付着係止具の実施例を示す。この多段連結付着係止具は高速列車の形状／模様／色彩（デザイン）をしており、先頭の車両が上記第１の付着係止具１であり、末尾の車両が上記第２の付着係止具２であり、間の全ての車両が付着係止具３………となっている。なお見方によっては、先頭の車両以外を全て第２の付着係止具２と見ることもできる。
【００２１】
図１３に示すように、これら第１、第２及び第３の付着係止具１、２及び３の裏面には、環状の収納部４、５及び１４が突出されて一体形成されている。この環状の収納部４、５及び１４の中には円盤状の磁石６、７及び１６（付着機構）が収納されて接着されている。
【００２２】
これら第１及び第２の付着係止具１及び２の内側、及び第３の付着係止具３の両側は、内方へ絞り込まれており、この隣り合う絞り込み部を繋ぐように連結部３５が挿通されている。この連結部３５の両端は外方へ広がっており、この広がり部と上記絞り込み部とは係合して容易に離脱できないようになっている。なお、広がり部と上記絞り込み部とは着脱自在とされてもよい。
【００２３】
このような多段連結付着係止具では、各連結部３５が、第１及び第２の付着係止具１及び２及び第３の付着係止具３に対して「遊び」があるため、多段連結付着係止具全体を図１１に示すように蛇行屈曲させることができる。このように蛇行屈曲させれば、複雑な形状をしたシートや立体的（３次元的）に屈曲した面に沿ってこれを係止することができる。他の構成及び作用は上述の図１乃至図１０の実施例と同じであり、この同じ内容については説明を省略するが、実施には記載されているものと理解されたい。
【００２４】
これら第１、第２及び第３の付着係止具１、２及び３は高速列車の核車両のデザインが施され、上記各連結部３５は、高速列車の連結デッキのデザインが施されている。したがって、第１、第２及び第３の付着係止具１、２及び３の各表面に施されたデザイン（絵）には互いに相関性があり、これらの相関性のあるデザイン（絵）に対して、各連結部３５（連結機構）自体も相関性を持ち、各連結部３５（連結機構）自体もこれら相関性のあるデザイン（絵）の一構成要素となっている。したがって、付着係止具１、２、３から各連結部３５（連結機構）がデザイン上、浮き上がって目立ってしまうことがなくなり、各連結部３５（連結機構）自体に違和感が生じないようにしたり、目立たないようにすることができる。
【００２５】
（６）請求項の説明
本発明では、取り付け面に付着するための付着機構を有する第１の付着係止具及び第２の付着係止具とを連結する連結機構とを備えた。これにより、一方の付着係止具が取り付け面から落下しても、この付着係止具には連結機構が繋がり、この連結機構には他方の付着係止具が繋がっているため、この落下した付着係止具が完全に落下してしまうことがなく、付着係止具全体を紛失してしまうことが少なくなる。
【００２６】
本発明では、任意の面に付着するための付着機構を有する第３の付着係止具が、上記連結機構に対してスライド可能に取り付けられている。これにより、第１の付着係止具及び第２の付着係止具に対して第３の付着係止具を任意の位置にスライドさせることができ、複数のシートを任意の配列位置に係止することができる。
【００２７】
本発明では、上記連結機構は上記第１の付着係止具、第２の付着係止具または第３の付着係止具の中に巻き込み可能となっていて、長さが調節可能である。これにより、複数のシートを任意の配列位置に係止した場合、連結機構の長さが余分に余っても、これを巻き込んで最適な長さにすることができ、余分な連結機構が垂れ下がって、シートを一部覆ってしまうことがなくなる。
【００２８】
本発明では、上記第１の付着係止具に対して第２の付着係止具は着脱自在であり、第１の付着係止具１に対して第２の付着係止具を順次繋いだりはずしたりできる。これにより、係止するシートの数に応じて、連結する付着係止具の数を自由に増減できる。
【００２９】
本発明では、上記第１の付着係止具表面及び第２の付着係止具表面または第３の付着係止具表面はデザインが施されており、これらのデザインは互いに相関性があり、これらの相関性のあるデザインに対して、上記連結機構自体も相関性を持ち、上記連結機構自体もこれら相関性のあるデザインの一構成要素となっている。したがって、付着係止具から連結機構がデザイン上、浮き上がって目立ってしまうことがなくなり、連結機構自体に違和感が生じないようにしたり、目立たないようにすることができる。
【００３０】
本発明では、上記第１、第２または第３の付着係止具の付着機構は、磁石、接着シート、接着粘土、鋲または針であり、上記連結機構は紐、糸、鎖またはぜんまいばねである。これにより係止するシートの材質にあった最適な付着を行うことができるし、上記デザインに違和感が生じない最適な連結機構を選ぶことができる。
【００３１】
本発明は上記各実施例に限定されず、本発明の趣旨を逸脱しない範囲で種々変更可能である。例えば、連結機構の数は、連結する付着係止具１、２、３の１組当たり１つでもよいし、複数でもよい。また、１つの連結機構によって互いに連結される付着係止具１、２、３の数は２つだけではなく、３つ以上でもよい。
【００３２】
上記糸巻き１８はぜんまいばねによって糸１０を引き込む付勢力があったが、これはなくてもよく、手作業／手巻きによって糸１０を糸巻き１８に巻き込むようにしてもよい。
【００３３】
【発明の効果】
以上詳述したように、本発明は、取り付け面に付着するための付着機構を有する第１の付着係止具及び第２の付着係止具とを連結する連結機構とを備えた。これにより、一方の付着係止具が取り付け面から落下しても、この付着係止具には連結機構が繋がり、この連結機構には他方の付着係止具が繋がっているため、この落下した付着係止具が完全に落下してしまうことがなく、付着係止具全体が完全に落下せず、付着係止具全体を紛失してしまうことが少なくなる等の効果を奏する。
【００３４】
たとえ、第１の付着係止具及び第２の付着係止具の両方が落下しても、第１の付着係止具及び第２の付着係止具は連結機構で連結されているので、付着係止具全体としては広い範囲にわたって落下し、付着係止具全体を発見し易くなる。さらに、一方の付着係止具が隙間に落ち込んでも、連結機構によってこの一方の付着係止具を引き出すこともできる等の効果も奏する。
【図面の簡単な説明】
【図１】付着係止具全体を正面から見た状態を示す。
【図２】付着係止具１（２）を側面から見た状態を示す。
【図３】第３の付着係止具３を側面から見た状態を示す。
【図４】第３の付着係止具３の裏面の第２実施例を示す。
【図５】第１及び第２の付着係止具１及び２だけのものとした実施例を示す。
【図６】第１及び第２の付着係止具１及び２だけのものとした実施例を示す。
【図７】第１及び第２の付着係止具１及び２だけのものとした実施例を示す。
【図８】第１及び第２の付着係止具１及び２だけのものとした実施例を示す。
【図９】第１及び第２の付着係止具１及び２だけのものとした実施例を示す。
【図１０】接着シート３１による付着機構を示す。
【図１１】針３２による付着機構を示す。
【図１２】多段連結付着係止具の平面を示す。
【図１３】多段連結付着係止具の縦断面を示す。
【符号の説明】
１…第１の付着係止具、２…第２の付着係止具、３…第３の付着係止具、４、５…収納部、６、７…磁石、８、９…突起穴、１０…糸、１４…収納部、１６…磁石、１７…吊り下げフック、１８…糸巻き、１９、２０…突起穴、２１…差し込みフック、２５…鎖、２６…紐、３１…接着シート、３２…針、３５…連結部。
【図１】
2004017602.tif 000003
【図２】
2004017602.tif 000004
【図３】
2004017602.tif 000005
【図４】
2004017602.tif 000006
【図５】
2004017602.tif 000007
【図６】
2004017602.tif 000008
【図７】
2004017602.tif 000009
【図８】
2004017602.tif 000010
【図９】
2004017602.tif 000011
【図１０】
2004017602.tif 000012
【図１１】
2004017602.tif 000013
【図１２】
2004017602.tif 000014
【図１３】
2004017602.tif 000015